(57)【要約】【課題】  遊技客に遊技台の調子を判断するのに有益なデータを小さな領域で表示することができる遊技データ表示装置を提供する。【解決手段】  呼出ランプユニットに対して本日の履歴再生を指示すると、そのデータ表示部には、対応するパチンコ台の本日の履歴が短時間で再生表示される。つまり、確変で大当たりが発生したときは、特賞及び確変をカウントアップしてから、スタート回数をリセット状態からカウントアップすると共に、大当たり間のスタート回数のグラフ表示をスライドする。これにより、遊技客は、呼出ランプユニットの表示を視認することにより、早回しで遊技しているような感覚となり、所定期間における遊技台の調子を判断することができる。【選択図】  図１０
2005118281.tif 000002
【特許請求の範囲】
【請求項１】
遊技台の稼働状態を示す遊技データの履歴を管理する管理手段と、
この管理手段が管理する遊技データを表示する表示手段とを備えた遊技データ表示装置において、
前記表示手段は、再生表示が指示されたときは前記管理手段が管理する所定期間の遊技データを時間経過の短縮状態で再生表示することを特徴とする遊技データ表示装置。
【請求項２】
スタートに応じて発生する特別状態が発生したことを示す特別状態報知手段を備え、
前記表示手段は、遊技データとして少なくとも特別状態間のスタート回数と特別状態の回数を表示するように設けられ、再生表示が指示されたときは前記所定期間における特別状態間のスタート回数をカウントアップ表示し、カウントアップが終了したときは特別状態の回数をカウントアップ表示すると共に前記特別状態報知手段を駆動する短縮再生動作を前記所定期間における時間経過に従って順に実行することを特徴とする請求項１記載の遊技データ表示装置。
【請求項３】
前記表示手段は、前記所定期間に特別状態が連続して発生する確率が高い権利状態期間が含まれていたときは、その権利状態期間においては特別状態間のスタート回数のカウントアップ表示を実行することなく特別状態の回数のカウントアップ表示のみを実行することを特徴とする請求項２記載の遊技データ表示装置。
【請求項４】
現在を含む過去数回分の特別状態間のスタート回数をグラフ形態で表示するグラフ表示手段を備え、
前記グラフ表示手段は、再生表示が指示されたときは前記表示手段の動作に合わせてスタート回数の表示位置をスライドすることを特徴とする請求項２または３記載の遊技データ表示装置。
【請求項５】
現在を含む過去数回分の特別状態間のスタート回数を前記グラフ表示手段のグラフ表示位置に対応した位置に表示するスタート回数表示手段を備え、
前記スタート回数表示手段は、再生表示が指示されたときは前記表示手段の動作に合わせてスタート回数の表示位置をスライドすることを特徴とする請求項４記載の遊技データ表示装置。
【請求項６】
前記表示手段は、特別状態間のスタート回数をカウントアップ表示する場合は、１回のスタート回数が大きい程、カウントアップ速度を高めることを特徴とする請求項２ないし５の何れかに記載の遊技データ表示装置。
【請求項７】
前記表示手段は、特別状態間のスタート回数をカウントアップ表示する場合は、所定期間のスタート回数の総数が大きい程、カウントアップ速度を高めることを特徴とする請求項２ないし５の何れかに記載の遊技データ表示装置。
【発明の詳細な説明】
【技術分野】
【０００１】
本発明は、遊技台の稼働状態を示す遊技データの履歴を管理する管理手段と、この管理手段が管理する遊技データを表示する表示手段とを備えた遊技データ表示装置に関する。
【背景技術】
【０００２】
遊技場では、台選択の目安とするための情報として、遊技台の遊技データを遊技データ表示装置により遊技客に提供するようにしている。
【特許文献１】特願２００２−１７７５９３号公報
【発明の開示】
【発明が解決しようとする課題】
【０００３】
この種の遊技データ表示装置、特に遊技台毎に設けられた表示装置は、限られたデータ表示領域しか持たないため、各種データを開店からの累計値で表示したり、現時点のスタート回数を表示したり、数回分の大当たり間スタート回数を棒グラフで表示したりするようにしている。
しかしながら、このような表示は、現時点での遊技結果を表示するものであり、開店からの大当たりの時間経過を示す大当たり履歴や前日の大当たり履歴などは表示することができないと共に、開店からの大当たり間スタート回数の時間経過を示すグラフなども表示することができず、有益なデータを遊技客に提供していないのが実情である。
【０００４】
また、例えば差玉数の時間経過を示すスランプグラフは、遊技台の調子を判断する上で有効であるものの、スランプグラフのような細かな表示を行うには、液晶パネルが必要となり、コストが高くなる。
本発明は上記事情に鑑みてなされたもので、その目的は、遊技客に遊技台の調子を判断するのに有益なデータを小さな領域で表示することができる遊技データ表示装置を提供することにある。
【課題を解決するための手段】
【０００５】
本発明の遊技データ表示装置は、遊技台の稼働状態を示す遊技データの履歴を管理する管理手段と、この管理手段が管理する遊技データを表示する表示手段とを備えた遊技データ表示装置において、前記表示手段は、再生表示が指示されたときは前記管理手段が管理する所定期間の遊技データを経過時間の短縮状態で再生表示するものである（請求項１）。
【０００６】
上記構成において、スタートに応じて発生する特別状態が発生したことを示す特別状態報知手段を備え、前記表示手段は、遊技データとして少なくとも特別状態間のスタート回数と特別状態の回数を表示するように設けられ、再生表示が指示されたときは前記所定期間における特別状態間のスタート回数をカウントアップ表示し、カウントアップが終了したときは特別状態の回数をカウントアップ表示すると共に前記特別状態報知手段を駆動する短縮再生動作を前記所定期間における時間経過に従って順に実行するようにしてもよい（請求項２）。
【０００７】
また、前記表示手段は、前記所定期間に特別状態が連続して発生する確率が高い権利状態期間が含まれていたときは、その権利状態期間においては特別状態間のスタート回数のカウントアップ表示を実行することなく特別状態の回数のカウントアップ表示のみを実行するようにしてもよい（請求項３）。
また、現在を含む過去数回分の特別状態間のスタート回数をグラフ形態で表示するグラフ表示手段を備え、前記グラフ表示手段は、再生表示が指示されたときは前記表示手段の動作に合わせてスタート回数の表示位置をスライドするようにしてもよい（請求項４）。
【０００８】
また、現在を含む過去数回分の特別状態間のスタート回数を前記グラフ表示手段のグラフ表示位置に対応した位置に表示するスタート回数表示手段を備え、前記スタート回数表示手段は、再生表示が指示されたときは前記表示手段の動作に合わせてスタート回数の表示位置をスライドするようにしてもよい（請求項５）。
また、前記表示手段は、特別状態間のスタート回数をカウントアップ表示する場合は、１回のスタート回数に応じてカウントアップ速度を変化させるようにしてもよい（請求項６）。
【０００９】
また、前記表示手段は、特別状態間のスタート回数をカウントアップ表示する場合は、所定期間のスタート回数の総数に応じてカウントアップ速度を変化させるようにしてもよい（請求項７）。
【発明の効果】
【００１０】
請求項１の発明によれば、遊技客が遊技台の調子を判断したいときは、表示手段に対して再生表示を指示する。すると、表示手段は管理手段が管理する所定期間の遊技データを経過時間の短縮状態で再生表示するので、遊技客は、あたかも早回しで遊技しているような感覚となり、所定期間における遊技台の調子を判断することができる。これにより、現在の表示手段で遊技台の遊技履歴を見せることができるので、表示手段として小型のものを用いることができる。
【００１１】
請求項２の発明によれば、所定期間におけるスタート回数と特別状態との関係を視覚的に見せることができるので、遊技客は、特別状態のスランプを感覚的に捉えることができる。
請求項３の発明によれば、権利状態期間では少ないスタート回数で特別状態となり、スタート回数のカウントアップ表示は無意味であると共に表示が頻繁に変化して確認が困難であることから、権利状態期間においては特別状態間のスタート回数のカウントアップ表示を実行せず特別状態のカウントアップ表示のみを実行することにより無意味な表示を防止することができると共にスタート回数のカウントアップ表示を見易くできる。
【００１２】
請求項４の発明によれば、表示手段の動作に合わせてスタート回数のグラフの表示位置がスライドするので、複数のスタート回数と特別状態との概略的な関係を一目で確認することができる。
請求項５の発明によれば、表示手段の動作に合わせてスタート回数の表示位置がスライドするので、複数のスタート回数と特別状態との詳細な関係を一目で確認することができ、リアル感を高めることができる。
【００１３】
請求項６の発明によれば、スタート回数が大きくともカウントアップ表示時間が過度に長くなることはないので、遊技客に対して大きなスランプがないように思わせたい場合に有効である。
請求項７の発明によれば、再生表示時間が過度に長くなってしまうことを防止できる。
【発明を実施するための最良の形態】
【００１４】
（第１の実施の形態）
以下、本発明の一実施の形態を図１ないし図１３に基づいて説明する。
図１は、システム全体を概略的に示している。この図１において、パチンコホール内には複数のパチンコ台（遊技台に相当）１が設置されていると共に、パチンコ台１に隣接してＣＲ（カードリーダ）ユニット２及び台毎端末３が設置されている。
【００１５】
ＣＲユニット２は、図示しないプリペイドカードがカード挿入口に挿入された状態では、プリペイドカードに記憶された残り金額の範囲内で遊技媒体を貸出し可能となっている。この場合、貸出された遊技媒体はパチンコ台１から直接払出されるようになっている。
台毎端末３は、会員に対して現在遊技しているパチンコ台１の遊技データ或いは所望のパチンコ台１の遊技データを提供するもので、これらのデータに基づいてパチンコ台１を選択する目安としたり、現在遊技しているパチンコ台１の遊技を継続するかの判断を行ったりすることが可能となっている。また、台毎端末３は台間玉貸機の機能を有しており、会員カードから会員情報を読取った状態で払出しボタンが操作されたときは、予め貯玉されている遊技媒体の範囲内で単位玉数をパチンコ台１から払い出すようになっている。
【００１６】
パチンコ台１及びＣＲユニット２並びに台毎端末３に対応して呼出ランプユニット（遊技データ表示装置に相当）４が設けられており、呼出ランプユニット４は、パチンコ台１からの各種信号に基づいて遊技データを収集すると共に、ＣＲユニット２からの売上信号に基づいて売上データを収集し、さらに台毎端末３と通信可能となっている。
２台の呼出ランプユニット４に対応してＩＯインタフェース５が設置されており、管理コンピュータ６は、呼出ランプユニット４を介してパチンコ台１の稼動状態及びＣＲユニット２による売上状態並びに台毎端末３による貯玉払出状態（売上状態）を管理したり、台毎端末３へ表示データを送信したりするようになっている。
【００１７】
一方、パチンコホール内には店舗内データ表示装置７が設置されている。この店舗内データ表示装置７は、管理コンピュータ６と通信することにより遊技媒体の払出し機能を除いて呼出ランプユニット４及び台毎端末３と略同一の機能を有する。
図２は呼出ランプユニット４を示す正面図である。この図２において、呼出ランプユニット４には、データ表示部（表示手段、グラフ表示手段、スタート回数表示手段に相当）８、呼出ボタン９、表示切替ボタン１０、決定ボタン１１及びランプ（特別状態報知手段に相当）１２が設けられており、呼出ボタン９に対する操作に応じてランプ１２が点灯・消灯する。
【００１８】
次に上記構成の作用について説明する。
会員の遊技客が台毎端末３に会員カードを挿入し、貯玉の範囲内で払出しを指示すると、パチンコ台１から単位玉数の遊技媒体が払出される。また、ＣＲユニット２へのプリペイドカードの挿入状態で払出しが指示されたときも、パチンコ台１から単位玉数の遊技媒体が払出される。
【００１９】
遊技客がパチンコ台１で遊技すると、その遊技データは呼出ランプユニット４を介して台毎端末３に記憶されると共に、所定期間毎に管理コンピュータ６へ送信されて記憶される。尚、台毎端末３では当日の遊技データを記憶し、管理コンピュータ６では当日を含む過去３日分の遊技データを記憶するようになっている。
図３は、台毎端末３及び管理コンピュータ６が記憶している遊技データのうち当日の大当たり（特別状態に相当）履歴の一例を示している。この図３において、大当たり履歴としては、大当たり回数（大当たりが発生した順番）に対応して、発生時刻、大当たり種別、スタート回数、大当たり間アウト、大当たり間差玉、大当たり中出玉、持玉（大当たり（確変（権利状態に相当））中の持玉）が設定されている。
【００２０】
図３の例では、１０時６分に営業開始から１回目の大当たりが確変大当たり（連チャン）として発生し、このときのスタート回数は営業開始から２４３回目である。また、大当たりが発生するまでのアウト玉数は４０３０個、差玉は３０４０個である。
１回目の大当たりが確変大当たりであることから、１回目の大当たりに連続して２回目の大当たり（通常）が１０時１４分に発生した。このとき、１回目の大当たりの終了からのスタート回数は３５回、大当たり間アウト回数は２７０回、大当たり間差玉数は３０個である。そして、２回目の大当たりが通常である結果、２回目の大当たりの終了でもって確変（連チャン）の終了となり、確変大当たりが開始してから２回目の大当たりが終了するまでの持玉を４３６０個として確定することができる。つまり、大当たりが確変大当たりとして発生したときは、連チャンの開始であり、次の大当たりが確変大当たりである限り、連チャンが継続し、大当たりが通常として発生したところで連チャンの終了となる。
【００２１】
以後、同様にして、大当たりが発生する毎に大当たり履歴が作成される。
そして、現在の遊技状態は、図３に示すように１４回目の大当たりが終了してからのスタート回数が２６２回、大当たりアウト玉数が４５００個、大当たり間差玉が３５２０個である。
【００２２】
さて、呼出ランプユニット４は、通常はデータ表示部８に標準画面を表示している。
図６は、呼出ランプユニット４の標準画面を示している。この図６において、標準画面には、図３で示す大当たり履歴における本日の大当たり回数、確変回数、現在のスタート回数が表示されていると共に、大当たり間スタート回数（連チャンは除く）を示す棒グラフが現在から５回前までの間表示されている。従って、遊技客は、標準画面を確認することによりパチンコ台１の現在の状態を判断することができる。
【００２３】
ところで、上述のようにして呼出ランプユニット４が示す標準画面のデータによりパチンコ台１の現在の状態を判断することができるものの、遊技客としては、現在のパチンコ台１の調子である所謂スランプを知りたいにも関わらず、標準画面のデータだけで判断することは困難である。このように標準画面の表示内容を限定しているのは、図３に示す大当たり履歴を呼出ランプユニット４で表示するにはその表示エリアが小さいからである。
【００２４】
このような場合、遊技客は、呼出ランプユニット４の表示切替ボタン１０を押して「履歴再生」を選択し、決定ボタン１１を押して確定する。履歴再生が選択されたときは、図７に示すように「履歴再生」がポップアップ表示されるので、履歴再生を選択したことを確認することができる。
【００２５】
次に、表示切替ボタン１０を押して図８に示すように「本日」の表示状態で決定ボタン１１を押して確定する。
呼出ランプユニット４は、上述したようにして表示対象データが確定されたときは、選択されたデータの再生表示動作を実行する。
図５は、呼出ランプユニット４のデータ表示動作を示している。この図５において、呼出ランプユニット４は、メモリへ大当たり履歴データを展開して再生用大当たり履歴を作成する（Ｓ１）。
【００２６】
図４は、図３に示す大当たり履歴をメモリに展開して作成した再生表示用大当たり履歴を示している。この図４において、履歴順に対応して、スタート回数及び連チャン回数が登録される。この場合、大当たりとして確変大当たりが発生したときは、その確変中（連チャン中）に発生した通常の大当たりが終了するまでが１回の履歴となる。
次に、呼出ランプユニット４は、データ表示部８の表示内容を図９に示すように初期状態（リセット状態）に切替えてから（Ｓ２）、最初の履歴である１回目の履歴（図４の例ではスタート回数が２４３回、連チャン回数が１回）を呼出してスタート回数のカウントアップを開始する（Ｓ３）。尚、図９において、現在のスタート回数を示す棒グラフが１目盛点灯しているのは、１目盛目がスタート回数の０〜９９回に相当し、０回が含まれるからである。
【００２７】
ここで、スタート回数のカウントアップは、１００回／秒の速さで行う。これにより、１回目の履歴のスタート回数が２４３回であることから、２．４３秒でスタート回数のカウントアップが終了する。
次に、最終履歴かを判断し（Ｓ５）、最終履歴でないことから（Ｓ５：ＮＯ）、ランプ１２を１回点滅し、大当たり回数を１カウントアップする（Ｓ７）。
【００２８】
次に、連チャン回数は０回かを判断する（Ｓ８）。この場合、１回目の大当たり履歴の連チャン回数は１であるので（Ｓ８：ＮＯ）、ランプ１２を１回点滅してから、大当たり回数と確変回数を１カウントアップする（Ｓ９、図１０参照）。従って、遊技客は、ランプ１２が点灯したときのスタート回数が２４３回であることから、２４３回目のスタートで大当たりが発生すると共に、ランプ１２が２回点滅することにより連チャン中に大当たりが２回発生したことを視覚的に認識することができる。
【００２９】
以上のようにして連チャンに伴うランプ１２の点滅動作により１回目の履歴の再生表示が終了したときは、スタート回数をリセットすると共に棒グラフの表示位置を移動してから（Ｓ１１、図１１参照）、次の履歴である２回目の履歴を呼出して、上述と同様にして再生表示する（Ｓ１２）。
以上の動作の結果、図４に示す２回目の履歴のスタート回数のカウントアップ表示が終了したときは、大当たりに伴うランプの点滅が１回行われたのに続いて、連チャン回数が４であることからランプ１２の点滅が４回行われる。その終了時には図１２に示すようにスタート回数として１９５、大当たり回数として７、確変回数として５が表示されると共に、１回目に加えて２回目の大当たり間スタート回数が棒グラフで表示される。
【００３０】
そして、図４に示す履歴順に応じたスタート回数のカウントアップ表示及びランプ１２の点滅による再生表示が順になされ、最終履歴である７回目の履歴の再生表示が終了したときは、表示内容を標準表示へ戻す。
以上の動作の結果、営業開始時からのパチンコ台１の過去の遊技状態を示すスタート回数のカウントアップ表示及び連チャンに伴うランプ１２の点滅動作が履歴の順に短時間で再生表示されるので、遊技客は、営業開始から現在に至るスタート回数と大当たり及び連チャンの関係を視覚的に体験することができ、パチンコ台１の現在の調子を判断することができる。
【００３１】
尚、島端に設けられた店舗内データ表示装置７及び管理コンピュータ６にも同様な機能が設けられており、遊技客或いは担当従業員は、所望のパチンコ台１を選択することにより当該パチンコ台１の所定期間における調子を視覚的に体験することができる。この場合、店舗内データ表示装置７及び管理コンピュータ６のデータ表示部としては、大型の液晶ディスプレイが使用されているのが一般的であることから、図１３に示すように進行状態表示バー１３を表示し、現在の進行状態を報知するようにしている。
【００３２】
このような実施の形態によれば、呼出ランプユニット４は、再生表示が指示されたときは、所定期間のスタート回数及び大当たり及び連チャンの発生状態をデータ表示部８に再生表示するようにしたので、遊技客は、あたかも早回しで遊技しているような感覚となる。従って、現時点での遊技結果を表示するだけの従来例のものと違って、遊技客がパチンコ台１の調子を判断するのに有益なデータを表示エリアの小さな呼出ランプユニット４の表示機能を利用して見せることができ、現在のパチンコ台１の調子を効果的に判断することができる。
【００３３】
しかも、大当たりの発生に加え連チャン回数を呼出ランプの点滅で報知するようにしたので、データ表示部８では大当たり回数及び確変回数（連チャン回数）しか表示することができなくとも、遊技客に大当たりの発生及び連チャン回数を視覚的に認識させることができ、リアル感を高めることができる。
【００３４】
（第２の実施の形態）
次に本発明の第２の実施の形態を図１４ないし図１８に基づいて説明する。この第２の実施の形態は、本発明をスロットマシンに対応して設けられた呼出ランプユニット４に適用した例を示している。
【００３５】
図１４は、呼出ランプユニット４のデータ表示部８に表示される標準画面の一例を示している。この図１４において、標準画面には、ビッグ回数、レギュラー回数及びスタート回数が表示されている。
遊技客は、本日の遊技履歴を再生表示したいときは、表示切替ボタン１０を押して図１５に示すように「履歴再生」を選択し、決定ボタン１１を押して確定すると共に、さらに表示切替ボタン１０を押して図１６に示すように「本日」を選択し、決定ボタン１１を押して確定する。
【００３６】
呼出ランプユニット４は、表示する履歴が決定したときは、図１７に示すように全てのデータをリセットしてから、スタート回数をカウントアップし、図１８に示すように最初のビッグボーナスが発生したスタート回数で一旦止まる。
次に、ビッグ回数を１カウントアップすると共に、ランプ１２を１回点滅してから、次のボーナスが発生したスタート回数まで、スタート回数をカウントアップする。
【００３７】
以上のようにして、スロットマシンにおける本日のスタート回数、ビック回数及びレギュラー回数の発生状態を短時間で再現することができる。
このような実施の形態によれば、呼出ランプユニット４によりスロットマシンの稼働状態を示す表示を短時間で再現するようにしたので、呼出ランプユニット４の表示エリアが小さくとも、スロットマシンの調子を感覚的に把握することができ、スロットマシンの選択の目安とすることができる。
【００３８】
本発明は、上記実施の形態に限定されることなく、次のように変形または拡張できる。
上述した実施の形態では、カウントアップ回数の大小にかかわらずカウントアップ速度を一定（１００回／秒）としたが、再現すべきカウントアップ回数が大きい程、カウントアップ速度を高めるようにしてもよく、その一例として、再現すべきカウントアップ回数の多少にかかわらず、一定時間内でカウントアップを再現するようにしてもよい。具体的には、カウントアップ表示時間が３秒となるように制御するもので、カウントアップ回数が２４３回である場合には、２４３回のカウントアップを３秒で実行することになる。このような表示形態によれば、スタート回数が大きくとも、同一周期で大当たりが発生するので、遊技客に視覚的にスランプを感じさせず、遊技しているパチンコ台１で遊びたいと思わせることができる。
【００３９】
また、所定期間における各スタート回数の全てを加算した総スタート回数に応じてカウントアップの速度を変化させるようにしてもよい。具体的には、総スタート回数が１０００回以下なら５０回／秒の速さでカウントアップし、総スタート回数が１００１回以上５０００回以下なら１００回／秒の速さでカウントアップし、総スタート回数が５００１回以上なら２００回／秒の速さでカウントアップする。総スタート回数が大きくとも、短縮再生時間が過度に長くなることを回避することができる。
【００４０】
また、１回のカウントアップ回数に応じてカウントアップ速度を変化させるようにしてもよい。具体的には、カウントアップ回数が１〜４９回までは、１０回／秒の速さでカウントアップし、カウントアップ回数が５０〜９９回までは、２０回／秒の速さでカウントアップし、カウントアップ回数が１００〜１９９回までは、５０回／秒の速さでカウントアップし、カウントアップ回数が２００〜２９９回までは、１００回／秒の速さでカウントアップし、カウントアップ回数が３００〜４９９回までは、１５０回／秒の速さでカウントアップし、カウントアップ回数が５００回以上は２００回／秒の速さでカウントアップする。
【００４１】
また、カウントアップ動作中にカウントアップ速度を変化させるようにしてもよい。具体的には、１〜５０回まで２０回／秒でカウントアップし、５１〜１００回まで５０回／秒でカウントアップし、１０１〜５００回まで１００回／秒でカウントアップし、５０１〜１０００回まで５００回／秒でカウントアップし、１００１回以上は１０００回／秒でカウントアップする。
【図面の簡単な説明】
【００４２】
【図１】本発明の第１の実施の形態におけるシステムを概略的に示す図
【図２】呼出ランプユニットの正面図
【図３】パチンコ台の大当たり履歴を示す図
【図４】再生表示用大当たり履歴を示す図
【図５】呼出ランプユニットの動作を示すフローチャート
【図６】呼出ランプユニットの標準画面を示す図
【図７】履歴再生のポップアップ表示状態を示す図６相当図
【図８】本日の選択状態を示す図６相当図
【図９】履歴再生の初期状態を示す図６相当図
【図１０】大当たりと確変のカウントアップ状態を示す図９相当図
【図１１】スタート回数のリセット状態を示す図９相当図
【図１２】２回目の履歴の表示終了状態を示す図９相当図
【図１３】進行状態表示バーを示す図
【図１４】本発明の第２の実施の形態における呼出ランプユニットの標準画面を示す図
【図１５】履歴再生のポップアップ表示状態を示す図１４相当図
【図１６】本日の選択状態を示す図１４相当図
【図１７】履歴再生の初期状態を示す図１４相当図
【図１８】ビッグボーナスのカウントアップ状態を示す図１４相当図
【符号の説明】
【００４３】
図面中、１はパチンコ台（遊技台）、４は呼出ランプユニット（遊技データ表示手段）、６は管理コンピュータ（管理手段）、８はデータ表示部（表示手段、グラフ表示手段、スタート回数表示手段）、１２はランプ（特別状態報知手段）である。
【図１】
2005118281.tif 000003
【図２】
2005118281.tif 000004
【図３】
2005118281.tif 000005
【図４】
2005118281.tif 000006
【図５】
2005118281.tif 000007
【図６】
2005118281.tif 000008
【図７】
2005118281.tif 000009
【図８】
2005118281.tif 000010
【図９】
2005118281.tif 000011
【図１０】
2005118281.tif 000012
【図１１】
2005118281.tif 000013
【図１２】
2005118281.tif 000014
【図１３】
2005118281.tif 000015
【図１４】
2005118281.tif 000016
【図１５】
2005118281.tif 000017
【図１６】
2005118281.tif 000018
【図１７】
2005118281.tif 000019
【図１８】
2005118281.tif 000020